(57)【要約】   ＨＶＡＣシステムの設定室内温度及び相対湿度を調節する方法及び装置を提供すること。本発明の一実施形態よる温湿度調節装置の温湿度調節方法は、少なくとも一つ以上の環境関連情報及びユーザの生体関連情報を獲得する段階と、前記獲得した情報に基づいて統計的情報が一定範囲内で決定されるようにする制御情報を決定する段階と、及び前記決定された制御情報に基づいてＨＶＡＣ(Ｈｅａｔｉｎｇ、Ｖｅｎｔｉｌａｔｉｏｎ、ａｎｄ Ａｉｒ Ｃｏｎｄｉｔｉｏｎｉｎｇ)システムを制御する段階と、を含む。本発明によって常にユーザに快適な環境を提供することができ、快適さを維持することと同時にエネルギーを節減することができる。本開示は、センサーネットワーク(Ｓｅｎｓｏｒ Ｎｅｔｗｏｒｋ)、マシンツーマシン(Ｍａｃｈｉｎｅ ｔｏ Ｍａｃｈｉｎｅ、Ｍ２Ｍ)、ＭＴＣ(Ｍａｃｈｉｎｅ Ｔｙｐｅ Ｃｏｍｍｕｎｉｃａｔｉｏｎ)及びモノのインターネット(Ｉｎｔｅｒｎｅｔ ｏｆ Ｔｈｉｎｇｓ、ＩｏＴ)のための技術に関する。本開示は前記技術に基づく知能型サービス(スマートホーム、スマートビルディング、スマートシティ、スマートカー又はコネクテッドカー、ヘルスケア、デジタル教育、スマート小売り業、保安及び安全関連サービスなど)に活用されることができる。
2017532517.tif 000002
【特許請求の範囲】
【請求項１】
温湿度調節装置の室内温湿度調節方法であって、
少なくとも一つ以上の環境関連情報及びユーザの生体関連情報を獲得する段階と、
前記獲得した情報に基づいて統計的情報が一定範囲内で決定されるようにする制御情報を決定する段階と、及び
前記決定された制御情報に基づいてＨＶＡＣ(Ｈｅａｔｉｎｇ、Ｖｅｎｔｉｌａｔｉｏｎ、ａｎｄ Ａｉｒ Ｃｏｎｄｉｔｉｏｎｉｎｇ)システムを制御する段階と、を含むことを特徴とする、室内温湿度調節方法。
【請求項２】
前記統計的情報は、
前記環境関連情報及び前記ユーザの生体関連情報に基づいて統計的に前記ユーザの温熱感に対する数値を示す情報であることを特徴とする、請求項１に記載の室内温湿度調節方法。
【請求項３】
前記環境関連情報は、
現在室内温度、現在室外温度、現在相対湿度のうちの少なくともいずれか一つを含むことを特徴とする、請求項第１に記載の室内温湿度調節方法。
【請求項４】
前記制御情報を決定する段階は、
前記室外温度及び前記生体関連情報に基づいて統計的情報が一定範囲内で決定されるようにする少なくとも一つ以上の室内温度及び相対湿度に対するターゲット順序対を獲得することを特徴とする、請求項３に記載の室内温湿度調節方法。
【請求項５】
前記制御情報を決定する段階は、
前記少なくとも一つ以上のターゲット順序対と前記現在室内温度及び現在相対湿度から構成される順序対との距離を計算する段階と、
前記少なくとも一つ以上のターゲット順序対のうちの前記計算した距離が最も小さいターゲット順序対を抽出する段階と、及び
前記抽出された順序対に基づいて前記制御情報を決定する段階と、を含むことを特徴とする、請求項４に記載の室内温湿度調節方法。
【請求項６】
前記ＨＶＡＣシステムを制御する段階は、
前記現在室内温度及び現在相対湿度を前記抽出された順序対に含まれる室内温度及び相対湿度に到逹するようにする時間を予め決定された時間として制御することを特徴とする、請求項５に記載の室内温湿度調節方法。
【請求項７】
前記ユーザが多数である場合、前記制御情報を決定する段階は、
前記多数のユーザの中で、前記ＨＶＡＣシステム制御時に考慮することで選択されたユーザに対する情報を受信する段階と、
前記選択されたユーザ別で前記ターゲット順序対を獲得する段階と、
前記選択されたユーザ別で獲得された前記ターゲット順序対のうちのユーザ間に同一のターゲット順序対を抽出する段階と、及び
前記抽出されたターゲット順序対に基づいて前記制御情報を決定する段階と、を含むことを特徴とする、請求項４に記載の室内温湿度調節方法。
【請求項８】
前記獲得段階前に、前記温湿度調節装置とユーザ間の情報を獲得する段階と、
前記獲得した距離情報の距離が予め定められた距離以内の場合、前記環境関連情報、前記生体関連情報及び前記距離に基づいて前記ＨＶＡＣシステムを制御する段階と、
をさらに含むことを特徴とする、請求項１に記載の室内温湿度調節方法。
【請求項９】
前記情報を獲得する前に、各区域にユーザがいるかを検出する段階と、及び
ユーザがいると検出された区域に限って前記ＨＶＡＣシステムを制御する段階と、をさらに含むことを特徴とする、請求項１に記載の室内温湿度調節方法。
【請求項１０】
前記少なくとも一つ以上の環境関連情報を獲得することは、
少なくとも一つ以上の室内設備に付着したセンサーから前記少なくとも一つ以上の環境関連情報を獲得することを特徴とする、請求項１に記載の方法。
【請求項１１】
温湿度調節装置であって、
ユーザ機器又は室内設備と情報を受信又は送信する通信部と、及び
少なくとも一つ以上の環境関連情報及びユーザの生体関連情報を獲得し、前記獲得した情報に基づいて統計的情報が一定範囲内で決定されるようにする制御情報を決定し、前記決定された制御情報に基づいてＨＶＡＣ(Ｈｅａｔｉｎｇ、Ｖｅｎｔｉｌａｔｉｏｎ、ａｎｄ Ａｉｒ Ｃｏｎｄｉｔｉｏｎｉｎｇ、ＨＶＡＣ)システムを制御する制御部と、を含むことを特徴とする温湿度調節装置。
【請求項１２】
前記統計的情報は、
前記環境関連情報及び前記ユーザの生体関連情報に基づいて統計的に前記ユーザの温熱感に対する数値を示す情報であることを特徴とする、請求項１１に記載の室内温湿度調節装置。
【請求項１３】
前記環境関連情報は、
現在室内温度、現在室外温度、現在相対湿度のうちの少なくともいずれか一つを含むことを特徴とする、請求項１１に記載の室内温湿度調節装置。
【請求項１４】
前記制御情報を決定することは、
前記室外温度及び前記生体関連情報に基づいて統計的情報が一定範囲内で決定されるようにする少なくとも一つ以上の室内温度及び相対湿度に対するターゲット順序対を獲得することを特徴とする、請求項１３に記載の室内温湿度調節装置。
【請求項１５】
前記制御情報を決定することは、
前記少なくとも一つ以上のターゲット順序対と前記現在室内温度及び現在相対湿度から構成される順序対との距離を計算し、前記少なくとも一つ以上のターゲット順序対のうちの前記計算した距離が最も小さいターゲット順序対を抽出し、前記抽出された順序対に基づいて前記制御情報を決定することを含むことを特徴とする、請求項１４に記載の室内温湿度調節装置。
【請求項１６】
前記ＨＶＡＣシステムを制御することは、
前記現在室内温度及び現在相対湿度を前記抽出された順序対に含まれる室内温度及び相対湿度に到逹するようにする時間を予め決定された時間として制御することを特徴とする、請求項１５に記載の室内温湿度調節装置。
【請求項１７】
前記ユーザが多数である場合、前記制御情報を決定することは、
前記多数のユーザのうちで、前記ＨＶＡＣ制御時に考慮することで選択されたユーザに対する情報を受信し、前記選択されたユーザ別で前記ターゲット順序対を獲得し、前記選択されたユーザ別で獲得された前記ターゲット順序対のうちのユーザ間に同一のターゲット順序対を抽出し、前記抽出されたターゲット順序対に基づいて前記制御情報を決定することを含むことを特徴とする、請求項１５に記載の室内温湿度調節装置。
【請求項１８】
前記獲得前に、前記温湿度調節装置とユーザ間の距離情報を獲得し、前記獲得した距離情報の距離が予め定められた距離以内の場合、前環境関連情報、前記生体関連情報及び前記距離に基づいて前記ＨＶＡＣシステムを制御する制御部を含むことを特徴とする、請求項１１に記載の室内温湿度調節装置。
【請求項１９】
前記情報を獲得する前に、各区域のユーザがいるかを検出し、ユーザがいると検出された区域に限って前記ＨＶＡＣシステムを制御する制御部を含むことを特徴とする、請求項１１に記載の室内温湿度調節装置。
【請求項２０】
前記制御部は、
少なくとも一つ以上の室内設備に付着したセンサーから前記少なくとも一つ以上の環境関連情報を獲得することを特徴とする、請求項１１に室内温湿度調節装置。
【発明の詳細な説明】
【技術分野】
【０００１】
本発明は、温湿度調節に関し、より具体的にＨＶＡＣシステムの設定室内温度及び相対湿度を調節する方法及び装置に関する。
【背景技術】
【０００２】
インターネットは人間が情報を生成して消費する人間中心の連結網から事物などの分散した構成要素の間に情報を取り交わして処理するＩｏＴ(Ｉｎｔｅｒｎｅｔ ｏｆ Ｔｈｉｎｇｓ、モノのインターネット)網に進化しつつある。クラウドサーバーなどとの接続を通じるビックデータ(Ｂｉｇ ｄａｔａ)処理技術などがＩｏＴ技術に結合されたＩｏＥ(Ｉｎｔｅｒｎｅｔ ｏｆ Ｅｖｅｒｙｔｈｉｎｇ)技術も現われている。ＩｏＴを具現するためにセンシング技術、有無線通信及びネットワークインフラ、サービスインターフェース技術、及び保安技術のような技術要素が要求され、最近には事物間の接続のためのセンサーネットワーク(ｓｅｎｓｏｒｎｅｔＷｏｒｋ)、マシンツーマシン(Ｍａｃｈｉｎｅｔｏ Ｍａｃｈｉｎｅ、Ｍ２Ｍ)、ＭＴＣ(Ｍａｃｈｉｎｅ Ｔｙｐｅ Ｃｏｍｍｕｎｉｃａｔｉｏｎ)などの技術が研究されている。
【０００３】
ＩｏＴ環境では接続された事物から生成されたデータを収集、分析して人間の生活に新しい価値を創出する知能型ＩＴ(Ｉｎｔｅｒｎｅｔ Ｔｅｃｈｎｏｌｏｇｙ)サービスが提供されることができる。ＩｏＴは既存のＩＴ(ｉｎｆｏｒｍａｔｉｏｎ ｔｅｃｈｎｏｌｏｇｙ)技術と多様な産業の間の融合及び複合を通じてスマートホーム、スマートビルディング、スマートシティ、スマートカー又はコネクテッドカー、スマートグリッド、ヘルスケア、スマート家電、先端医療サービスなどの分野に応用されることができる。
【０００４】
一方、従来の温湿度調節装置は、単純にユーザから設定室内温度及び相手湿度情報をリアルタイムに受信し、前記受信した情報に基づいて温度調節装置の作動可否を決定することによって室内温度及び相対湿度を調節した。
【０００５】
上述した情報は、ただ本明細書の理解を助けるための背景技術情報で存在する。上述したものなかのいずれも本明細書の開示と関連して先行技術として適用されることができるかに関してはどんな決定も下ろされないか、又はどんな主張も申し立てられない。
【発明の概要】
【発明が解決しようとする課題】
【０００６】
従来の温湿度調節装置は、ユーザの状態及び直接的に感じる快適度を考慮せず、ユーザが受動的に繰り返して入力する設定だけ依存して温度及び湿度を制御したところ、ユーザに不便であった。
【課題を解決するための手段】
【０００７】
本発明の他の実施形態によれば、温度及び湿度を制御するための装置が提供される。温湿度調節装置は、ユーザ機器又は室内設備と情報を受信又は送信する通信部と、及び少なくとも一つ以上の環境関連情報及びユーザの生体関連情報を獲得し、前記獲得した情報に基づいて統計的情報が一定範囲内に決定されるようにする制御情報を決定し、前記決定された制御情報に基づいてＨＶＡＣ(Ｈｅａｔｉｎｇ、Ｖｅｎｔｉｌａｔｉｏｎ、ａｎｄ Ａｉｒ Ｃｏｎｄｉｔｉｏｎｉｎｇ)システムを制御する制御部と、を含む。
【０００８】
本発明の他の実施形態によれば、温湿度調節装置は、環境関連情報だけではなく生体関連情報に基づいて決定される統計的情報を用いて設定室内温度及び相対湿度を制御情報で決定することができ、これにより、常にユーザに快適な環境を提供することができ、快適さを維持することと同時にエネルギーを節減することができる。
【発明の効果】
【０００９】
本発明の態様は、少なくとも前述した問題点及び／又は欠点を解消し、後述する利点を提供するものである。従って、本発明の目的は、環境関連情報及びユーザの生体関連情報に基づいて決定された統計的情報を用いて室内温度及び相対湿度を決定し、これに基づいて室内温湿度を調節する方法及び装置を提供することにある。
【図面の簡単な説明】
【００１０】
【図１】本発明の実施形態による温湿度調節システムを示す構成図である。
【図２】本発明の実施形態による温湿度調節方法の過程を示すフローチャートである。
【図３】室内環境の熱的快適性を示す統計的情報とユーザの予測された不満足度との相関関係を示す図面である。
【図４】本発明の実施形態による前記図２でＳ２３０段階を具体的に示すフローチャートである。
【図５】本発明の実施形態によるｘ軸を温度及びｙ軸を相対湿度とした座標を示す例示図である。
【図６】本発明の実施形態による前記温湿度調節装置１００がＳ２４０段階でＨＶＡＣシステムを制御する過程を具体化した図面である。
【図７】本発明の実施形態によるユーザが多数である場合にｘ軸を室内温度及びｙ軸を相対湿度とした座標を示す例示図である。
【図８】本発明の実施形態によるユーザの位置及びユーザ生体関連情報に基づいてＨＶＡＣシステムを制御することを示す例示図である。
【図９Ａ】本発明の実施形態によるユーザの特性及び生体関連情報に基づいてＨＶＡＣシステムを含む室内設備を制御することを示す図面である。
【図９Ｂ】本発明の実施形態によるユーザの特性及び生体関連情報に基づいてＨＶＡＣシステムを含む室内設備を制御することを示す図面である。
【図９Ｃ】本発明の実施形態によるユーザの特性及び生体関連情報に基づいてＨＶＡＣシステムを含む室内設備を制御することを示す図面である。
【図１０】本発明の実施形態による温湿度調節装置１００がＨＶＡＣシステムを含む室内設備を制御することを示す例示図である。
【図１１】本発明の実施形態による温湿度調節装置の内部構造を示すブロック図である。
【発明を実施するための形態】
【００１１】
添付された図面を参照する以下の説明は請求範囲及びこの等価物により定義される本発明の多様な実施形態の包括的な理解を助けるために提供される。このような理解を助けるために多様な特定詳細事項を含むが、これらはただ例示的なもので見なされなければならない。したがって、本技術分野の通常の技術者は本明細書に説明された多様な実施形態の多様な変更及び修正が本発明の範囲及び思想から逸脱せず成ることができるということを認識するだろう。さらに、公知された機能及び構成に対する説明は明確性及び簡潔性のために省略されることができる。
【００１２】
次の説明及び請求範囲で用いられた用語及び単語は書誌意味に限定されず、ただ発明者によって本発明の明確で一貫性ある理解ができるようにするために用いられる。したがって、本発明の多様な実施形態に対する次の説明は添付された請求範囲及びこの等価物によって定義されるように本発明を制限するためではなく、ただ例示のために提供されるということが本技術分野の技術者には明白ではなければならない。
【００１３】
単数形態“ａ”、“ａｎ”及び“ｔｈｅ”は文脈がはっきり異なり指示しなければ複数の指示ターゲットを含むことに理解されなければならない。したがって、例えば、“構成要素表面(ｃｏｍｐｏｎｅｎｔ ｓｕｒｆａｃｅ)”に対する参照物はこのような表面中の１つ以上に対する参照物を含む。
【００１４】
同じ理由で添付図面において一部構成要素は誇張されたり省略されたり概略的に図示された。また、各構成要素のサイズは実際サイズを全的に反映するものではない。各図面で同一又は対応する構成要素には同一参照番号を付した。
【００１５】
本発明の利点及び特徴、そしてそれらを達成するす方法は添付される図面と共に詳細に後述されている実施形態を参照すれば明確となるだろう。しかし、本発明は以下で開示される実施形態で限定されるものではなく互いに相違する多様な形態で具現されることができ、ただ本実施形態は本発明の開示を完全にして本発明が属する技術分野で通常の知識を有する者に発明の範疇を完全に知らせるために提供されるものであり、本発明は請求項の範疇により定義されるだけである。明細書全体にかけて同一参照符号は同一構成要素を指称する。
【００１６】
図１は、本発明の実施形態による温湿度調節システムを示す構成図である。
【００１７】
前記温度調節システムは、温湿度調節装置１００、一つ以上のユーザ機器１１０、室内温度に影響を及ぼす室内設備１２０又は外部サーバー１３０を含むことができる。
【００１８】
前記温湿度調節装置１００は、一つ以上の室内設備１２０及びユーザ機器１１０と通信し、前記設備１２０の動作を中央制御する。より具体的に、温湿度調節装置１００はユーザ機器１１０から受信したユーザ生体関連情報と外部サーバー１３０から受信した環境関連情報に基づいて設定室内温度及び相対湿度の目標値を決定して室内設備１２０、特にＨＶＡＣシステムを制御することができる。前記温湿度調節装置１００は、前記情報に基づいて統計的情報が一定範囲内に決定されるようにする室内設定温度及び湿度の目標値を決定することができる。前記目標値をＨＶＡＣシステム制御情報と言える。前記温湿度調節装置１００は生体関連情報をユーザ機器１１０から受信することができる。
【００１９】
前記温湿度調節装置１００は、装置内部のセンサーを用いて前記環境関連情報を獲得することができる。前記環境関連情報は室内温度、室外温度、相対湿度、露店、放射熱及び気流などを含むことができる。前記装置内部のセンサーは、温度検出センサー、湿度検出センサー、熱検出センサーなどを含むことができる。
【００２０】
さらに、温湿度調節装置１００は前記決定された制御情報を用いて前記設備１２０に含まれたＨＶＡＣシステムを制御することができる。前記設定室内温度及び相対湿度の目標値はＨＶＡＣシステムを制御する‘制御情報’に含まれることができる。温湿度調節装置１００は内部センサーを通じて現在室内温度及び相対湿度を測定した後、前記制御情報に含まれた設定温度及び湿度を目標値でＨＶＡＣシステムを制御することができる。
【００２１】
前記ユーザ機器１１０は、前記温湿度調節装置１００と接続されて温湿度調節装置にユーザ設定情報を入力する媒体として機能することができる。前記ユーザ機器１１０は現在の温湿度調節装置１００の状態を示す表示部を含むことができる。また、前記表示部はユーザが指又はタッチペンなどで情報を入力することができるタッチパッドを含むことができる。さらに、前記ユーザ機器１１０は前記温湿度調節装置１００と接続されてユーザが室内在／不在可否を検出するようにできる。前記ユーザ機器１１０にはスマートフォンを含むモバイルデバイス又はＷｅａｒａｂｌｅ ｄｅｖｉｃｅを含むことができる。前記Ｗｅａｒａｂｌｅ ｄｅｖｉｃｅはユーザ身体に付着してユーザの情報を温湿度調節装置へ伝達する役目をする。前記Ｗｅａｒａｂｌｅ ｄｅｖｉｃｅはメガネ付着型、ブレスレット型、アームバンド型、ペンダント型などの形態であることができる。
【００２２】
前記ユーザ機器１１０と前記温湿度調節装置１００間の接続は近距離無線通信であることができる。前記近距離無線通信は、例えば、ブルートゥース（登録商標）(Ｂｌｕｅｔｏｏｔｈ（登録商標）)、ＷＩＦＩ、ＷＩＦＩ-Ｄｉｒｅｃｔ、Ｚｉｇｂｅｅ又はＮＦＣを含むことができる。前記ユーザ機器１１０は近距離無線通信を通じてユーザ機器１１０と設定した設定情報を前記温湿度調節装置１００に送信することができる。さらに、前記温湿度調節装置１００は前記近距離無線通信の接続が切れたか否か、もしくは前記接続を通じてユーザ機器と前記温湿度調節装置１００との距離情報を獲得することができる。
【００２３】
前記室内設備１２０は、室内に設置された電力消耗装置として、例えば、空調機、マルチエアコン、ＨＶＡＣ(Ｈｅａｔｉｎｇ、Ｖｅｎｔｉｌａｔｉｏｎ、Ａｉｒ Ｃｏｎｄｉｔｉｏｎｉｎｇ)システム、照明、冷凍機、センサー、ポンプ、ファン、ボイラー、ブラインダー及び窓の制御設備などを含むことができる。前記温湿度調節装置１００は前記室内設備１２０のうちのいずれか一つ以上の設備と通信し、前記室内設備１２０を制御することができる。
【００２４】
前記温湿度調節装置１００は、前記設備１２０の装置情報、運行情報、周辺環境状態情報及びユーザの設定情報を総合的に考慮して前記ＨＶＡＣシステムを含む設備を制御することができる。前記温湿度調節装置１００は前記設備１２０に係る情報、周辺環境状態情報及びユーザの設定情報を前記外部サーバー１３０及びユーザ機器１１０から受信することができる。さらに、前記温湿度調節装置１００は前記設備１２０の作動を制御することができる。
【００２５】
前記温湿度調節装置１００は、ユーザ機器１１０及び外部サーバー１３０から情報を受けて前記室内設備１２０を制御する。すなわち、温湿度調節装置１００とユーザ機器１１０と室内設備１２０間に有無線ネットワークで接続されて情報を共有することによって、ユーザの介入無しに環境状態及びユーザの状態などを考慮して設備１２０などを調節することができるようになる環境が造成される。これをモノのインターネット(Ｉｎｔｅｒｎｅｔ ｏｆ Ｔｈｉｎｇｓ、ＩｏＴ)と言う。インターネットに基づいてすべてのモノを接続して人間とモノ、モノとモノの間の情報を相互流通する知能型技術及びサービスを指称する。前記技術によりユーザがリアルタイムで設定情報を入力しなければならない不便無し、ユーザの生体関連情報及び環境情報に基づいて前記温湿度調節装置１００が周辺環境を造成することによって、ユーザに快適環境の造成が可能である。
【００２６】
前記外部サーバー１３０が提供する前記装置情報は設備１２０の種類、例えば、前記ＨＶＡＣシステム、ブラインダー及び窓の制御設備、照明のような装置の種類と、設備１２０の設置位置、設置時期、製品固有番号などのように設備１２０自体に対する情報をいずれも含むことができる。また、前記運行情報は、例えば、設備１２０の運転状態、又はユーザ、設備位置、もしくは当該領域による設備１２０の運行パターン、一定期間の間の運行履歴をいずれも含むことができる。
【００２７】
前記温湿度調節装置１００は、前記外部サーバー１３０から温湿度調節のための情報を獲得することができる。前記温湿度調節のための情報には前記環境関連情報中の一部を含むことができる。前記外部サーバー１３０は情報提供サーバーを含むことができる。前記情報提供サーバーは、例えば、気象庁サーバーを含むことができる。前記温湿度調節装置１００は前記気象庁サーバーから気象予報情報を受信し、環境関連情報を獲得することができる。すなわち、前記気象庁サーバーから、例えば、現在時点で明日、又は何日後の気象予報情報を受信し、これを当該日付でのＨＶＡＣシステムを制御する制御情報を生成するのに用いることができる。
【００２８】
図２は、本発明の実施形態による温湿度調節方法の過程を示すフローチャートである。
【００２９】
Ｓ２００段階で前記温湿度調節装置１００は環境関連情報及びユーザの生体関連情報を獲得する。前記温湿度調節装置１００はセンサー及び外部サーバーを用いて環境関連情報を獲得することができる。前記‘環境関連情報’は室内のＨＶＡＣシステムを調節するための制御情報を決定することに基盤となる情報として、環境の多くの指標を示す情報を意味する。前記環境関連情報は、例えば、室内温度、室外温度、水蒸気量、相対湿度、放射熱数値及び気流情報などを含むことができる。
【００３０】
前記温湿度調節装置１００は、一つ以上のセンサーを含むことができ、前記センサーは温度検出センサー、水蒸気検出センサー、熱検出センサーなどを含むことができる。前記温湿度調節装置１００は前記含まれたセンサーを用いてＨＶＡＣシステムを制御するために現在の室内温度、室外温度及び相対湿度を獲得することができる。前記相対湿度は与えられた温度の飽和水蒸気量に対する実際水蒸気量の比又は飽和水蒸気圧に対する実際水蒸気圧の比を百分率で表示したことである。前記温湿度調節装置１００は、前記外部サーバーから与えられた温度での飽和水蒸気量に対する情報を獲得し、前記センサーから現在の水蒸気量に対する情報を獲得し、現在の相対湿度を計算することができる。さらに、前記温湿度調節装置１００は含まれた一つ以上のセンサーで獲得する環境関連情報を総合して処理することができる。
【００３１】
さらに、前記温湿度調節装置１００は前記包含しているセンサーだけではなく、前記室内設備に付着したセンサーを通じて前記環境関連情報を獲得することができる。室内の多くの場所に設置されている室内設備に付着したセンサーを通じて、宅内の一地点での環境関連情報だけではなく、多様な位置での環境関連情報を獲得することができる。また、前記室内設備から環境関連情報を獲得する時に、前記室内設備が位置している位置情報を含んで前記ＨＶＡＣシステムを制御する制御情報を生成するのに用いることができる。前記温湿度調節装置１００は、前記室内設備に付着したセンサーを通じて獲得した関連情報を収集するために、前記センサーと無線通信を用いて接続されることができる。すなわち、前記温湿度調節装置１００は宅内にある多数のセンサーを統合する中心装置として機能することができる。
【００３２】
前記温湿度調節装置１００は、前記ユーザ機器１１０を用いて前記生体関連情報を獲得することができる。前記‘生体関連情報’は、前記ＨＶＡＣシステムを制御するための制御情報を決定するのに基盤となる在室者又はユーザの生体に係る情報として、例えば、心臓搏動数、体温、血圧、電気皮膚反応(刺激に対する感情反応により起きる皮膚の電気伝導変化)などを含むことができる。さらに、前記‘生体関連情報’にはユーザ及び在室者の年齢、性別、背及び体重のような情報を含むことができる。
【００３３】
前記ユーザ機器１１０には一般的な無線通信の技術領域で用いられるスマートフォンを含むモバイルデバイス又はＷｅａｒａｂｌｅ ｄｅｖｉｃｅ(着用する電子機器)を含むことができる。前記Ｗｅａｒａｂｌｅ ｄｅｖｉｃｅは、ユーザ身体に付着してユーザの生体関連情報を温湿度調節装置に伝達する役目をする。前記Ｗｅａｒａｂｌｅ ｄｅｖｉｃｅは、例えば、メガネ付着型、ブレスレット型、アームバンド型、ペンダント型などの形態であることができる。前記ユーザ機器１１０は含んでいる多数の内部センサーを用いてユーザの心臓搏動数、体温、血圧、電気皮膚反応などを測定することができる。
【００３４】
前記ユーザ機器１１０は、前記測定した生体関連情報を前記温湿度調節装置１００へ送信することができる。前記ユーザ機器１１０は前記多数の内部センサーから受信したユーザの生体情報を総合して現在ユーザがどんな状況に処しているかを判断することができ、これを用いてユーザの状態を決定することができる。前記‘ユーザの状態’は前記ユーザの特性及びユーザの生体関連情報に基づいて決定されることができることで、ユーザの物理的活動程度、感情的状態、もしくは健康状態などを示す総括的な概念を意味することができる。例えば、前記ユーザ機器１１０は前記内部センサーから受信したリアルタイムのユーザの生体情報と、以前の時点で記憶されたユーザの生体情報又は予め製造社から生成されて記憶された生体パターン情報を比べ、ユーザの現在状態を判断することができる。前記ユーザ機器１１０は前記決定されたユーザの状態を含むユーザの生体関連情報を前記温湿度調節装置１００に送信することができる。
【００３５】
前記温湿度調節装置１００は、前記環境関連情報及び前記生体関連情報を一定時間ごとに前記外部サーバー及び前記ユーザ機器１１０から獲得することによって、毎時間別のアップデートできる。前記一定時間はユーザが予め設定することができる。前記ユーザの設定は前記ユーザ機器１１０を通じて受信することができる。前記温湿度調節装置１００は前記一定時間周期で前記環境関連情報及び前記生体関連情報をアップデートすることによって、ユーザの室内での快適度を高く維持させることができる。
【００３６】
前記温湿度調節装置１００は、Ｓ２１０段階で前記情報に基づいて統計的情報を決定する。前記温湿度調節装置１００の記憶部には前記環境関連情報及び前記生体関連情報に基づいて前記統計的情報を決定するのに用いられるデータが予め記憶されてあり得る。より具体的に、前記統計的情報は室内温度、相対湿度、活動関数、衣服断熱関数に基づいて決定することができる。
【００３７】
前記‘相対湿度’は与えられた温度の飽和水蒸気量に対する実際水蒸気量の比又は飽和蒸気量圧に対する実際蒸気量圧の比を百分率で表示したことである。前記温湿度調節装置１００は前記外部サーバーから与えられた温度での飽和水蒸気量に対する情報を獲得し、前記センサーから現在水蒸気量に対する情報を獲得し、現在の相対湿度を計算することができる。
【００３８】
前記‘活動関数’は単位面積当たり人体の熱生産度を示すことで、代謝熱生産度(ｍｅｔａｂｏｌｉｃ ｈｅａｔ ｐｒｏｄｕｃｔｉｏｎ)及び代謝自由エネルギー生産度(ｍｅｔａｂｏｌｉｃ ｆｒｅｅ ｅｎｅｒｇｙ ｐｒｏｄｕｃｔｉｏｎ)を含む概念である。前記‘活動関数’の値は前記ユーザ機器１１０から獲得した前記生体関連情報に含まれた心臓搏動数に基づいて決定されることができる。前記‘活動関数’の値は前記温湿度調節装置１１０に予め記憶された以下の表に基づいて決定されることができる。前記温湿度調節装置１００は獲得した心臓搏動数に基づいて前記ユーザの‘活動状態(ａｃｔｉｖｉｔｙ)’を抽出することができ、前記活動状態に対応する‘活動関数’の値(Ｗａｔｔ/m2)を抽出することができる。
【００３９】
【表１】
2017532517.tif 000003
【００４０】
さらに、前記‘衣服断熱関数’の値は外部温度から抽出されることができる。前記‘衣服断熱関数’とは、温度により統計的に服を着ない表面積に対する服を着る表面積を示す関数であり、外部温度に対する統計学的な関数に該当する。前記外部温度に対する前記‘衣服断熱関数’の値を抽出する式は前記温湿度調節装置１００に予め記憶されてあり得る。前記温湿度調節装置１００は前記獲得した環境関連情報に含まれた外部温度から前記‘衣服断熱関数’の値を抽出することができる。
【００４１】
前記温湿度調節装置１００は、前記獲得した情報である室内温度、室外温度、水蒸気量と前記予め記憶された情報である‘活動関数’と‘衣服断熱関数’の値を抽出することができるデータを用いて前記統計的情報を決定することができる。前記統計的情報は室内環境の熱的快適性を現わす指標を含むことができる。前記統計的情報は予想温熱冷感又は温熱指標を現わすことで、前記室内温度、相対湿度、前記活動関数の値、前記衣服断熱関数の値を持つ状態で統計的に人が感じる温熱感を数値化した値を現わすことができる。前記統計的情報は本発明が属する技術分野で一般的に用いられるＰＭＶ(Ｐｒｅｄｉｃｔｅｄ Ｍｅａｎ Ｖｏｔｅ)を含むことができる。前記統計的情報が前記ＰＭＶの場合、前記ＰＭＶ値は数字−３(非常に寒い)から数字＋３(非常に暑い)までの温熱感を数値化した値を含むことができる。
【００４２】
前記温湿度調節装置１００はＳ２２０段階で前記統計的情報値の絶対値が任意の値内の範囲にあるのか決定する。前記任意の値は前記温湿度調節装置１００に予め記憶された値を含むことができる。前記予め記憶された値は前記統計的情報が前記ＰＭＶの場合、前記ＰＭＶ値に対する予想される不満足度を示す指標に基づいて決定されることができる。前記ＰＭＶ値に対する予想される不満足度を示す指標は本発明の技術分野で一般的に用いられるＰＰＤ(Ｐｒｅｄｉｃｔｅｄ Ｐｅｒｃｅｎｔａｇｅ Ｄｉｓｓｔｉｓｆｉｅｄ)(％)を含むことができる。前記ＰＭＶ値に対する前記予想される不満足度を例示した図面は前記図３に示されている。
【００４３】
図３は、室内環境の熱的快適性を現わす統計的情報とユーザの予測された不満足度との相関関係を示す図面である。
【００４４】
前記温湿度調節装置１００がＰＭＶ値に対する前記任意の値を、例えば、前記ＰＰＤ値が２０(％)である時に対応するＰＭＶと記憶すると前記図３に基づいて前記ＰＭＶ値の絶対値が０．８４以内であることができる。統計学的で前記ＰＰＤ値が２０％以下の場合、ユーザは普通快適さを感じ、前記のような数値は本発明の一般的な技術的範囲に属するＡＳＨＲＡＥ(Ａｍｅｒｉｃａｎ Ｓｏｃｉｅｔｙ ｏｆ Ｈｅａｔｉｎｇ、Ｒｅｆｒｉｇｅｒａｔｉｏｎ ａｎｄ Ａｉｒ Ｃｏｎｄｉｔｉｏｎｉｎｇ Ｅｎｇｉｎｅｅｒｓ、アメリカ冷凍空調学会)Ｓｔａｎｄａｒｄに提示されている。前記温湿度調節装置１００は、前記のような統計的情報に対する予測される不満足度値を考慮することによって、常にユーザに快適環境を造成することができる。
【００４５】
前記温湿度調節装置１００は、前記Ｓ２２０段階で前記統計的情報値の絶対値が任意の値内の範囲にあると決定した場合、Ｓ２２５段階でＨＶＡＣシステムの現在設定室内温度及び相対湿度を維持させる。これは前述したように温湿度調節装置１００が前記任意の値をユーザの満足度に基づいて決定した場合、予めユーザが快適と感じる環境にいるからである。
【００４６】
前記温湿度調節装置１００は、前記Ｓ２２０段階で前記統計的情報値の絶対値が任意の値以外の範囲にあると決定された場合、Ｓ２３０段階で前記条件を満足させる室内温度及び相対湿度の目標値獲得する。前記室内温度及び相対湿度の目標値は前記ＨＶＡＣシステムを制御するのに基盤となる‘制御情報’に該当することができる。前記制御情報は前記室内温度及び相対湿度の目標値からなる順序対を含むことができる。前記室内温度及び相対湿度の目標値を獲得する過程を図４でより具体的に説明する。
【００４７】
前記温湿度調節装置１００はＳ２４０段階で前記獲得した室内温度及び相対湿度の目標値に基づいてＨＶＡＣシステムを制御する。前記温湿度調節装置１００は前記獲得した現在室内温度及び相対湿度が前記目標値に到逹するようにＨＶＡＣシステムを制御する。前記温湿度調節装置１００が前記ＨＶＡＣシステムを制御する具体的な方法は図５及び図６で後述する。
【００４８】
図４は、本発明の実施形態による前記度２でＳ２３０段階を具体的に示すフローチャートである。
【００４９】
より具体的に、前記温湿度調節装置１００は前記統計的情報の絶対値が予め定められた任意の値内で決定されるようにする室内温度及び相対湿度の目標値を決定する。
【００５０】
前記温湿度調節装置１００は、Ｓ４００段階で前記獲得した環境関連情報及び生体関連情報に基づいて前記統計的情報が一定範囲内に決定されるようにする、少なくとも一つ以上の室内温度及び相対湿度のターゲット順序対を獲得することができる。より具体的に、獲得した環境関連情報及び前記獲得した生体関連情報に含まれた室外温度、心臓搏動数を用いて記憶部に予め記憶されたデータを用いて前記活動関数、前記衣服断熱関数の値を抽出することができる。前記温湿度調節装置１００は前記抽出した活動関数、衣服断熱関数に基づいて前記統計的情報が一定範囲内に決定されるようにする少なくとも一つ以上の室内温度及び相対湿度に対する値を獲得することができる。
【００５１】
前記‘ターゲット順序対’は、前記獲得された室内温度及び相手湿度に対する値の順序対を含むことができる。前記一定範囲は前記Ｓ２２０段階で判断した条件である、前記統計的情報の絶対値が任意の値より小さい又は同一の範囲を含むことができる。前記室内温度及び相手湿度に対する値は前記言及したように順序対で表現されることができる。前記少なくとも一つ以上のターゲット順序対はｘ座標を温度及びｙ座標を相対湿度とした座標値で表現されることができる。前記座標値の集合を前記説明した座標で一定領域と表示することができる。前記ｘ座標を温度及びｙ座標を相対湿度とした座標について前記ターゲット順序対を座標値とした点の集合を領域と表示した例示図を図５の５７０に図示した。前記図５の５７０は、統計的情報がＰＭＶと仮定し、ＰＰＤが２０％以内になるようにするＰＭＶ値である０．８４以内の値で、ＰＭＶを決定されるようにする現在温度及び相対湿度の順序対を座標値とした点の集合を領域で表示したことである。
【００５２】
前記温湿度調節装置１００は、Ｓ４１０段階で前記少なくとも一つ以上のターゲット順序対と現在室内温度及び相対湿度を含む順序対間の距離を計算する。前記順序対間の距離を計算することは順序対を座標値で考慮して座標値間の距離を計算することである。前記順序対間の距離は以下の数式に計算されることができる。
【００５３】
【数１】
2017532517.tif 000004
【００５４】
x1,y1：ターゲット順序対の室内温度、相対湿度
【００５５】
x2,y2：現在室内温度、相対湿度
【００５６】
前記温湿度調節装置１００はＳ４２０段階で前記ターゲット順序対のうちの前記数式に計算された現在室内温度及び相対湿度の順序対との距離が最も小さいターゲット順序対を抽出する。前記温湿度調節装置１００は前記Ｓ４１０段階で計算した距離値を昇順で整列して記憶部に記憶した後、最も距離が小さい値を持つターゲット順序対を抽出することができる。
【００５７】
前記温湿度調節装置１００はＳ４３０段階で前記抽出されたターゲット順序対を前記室内温度及び相対湿度の目標値、すなわち、ＨＶＡＣシステムを制御するのに基盤となる制御情報で決定することができる。
【００５８】
前記温湿度調節装置１００がターゲット順序対のうちの現在室内温度及び相対湿度の順序対との距離が最も小さいターゲット順序対を抽出して制御情報で決定する理由は、ユーザの快適度を維持すると同時にエネルギーを節減するためである。すなわち、前記図５に表示された前記統計的情報が一定範囲内、すなわち、統計的情報の絶対値が任意の値内にあるようにするターゲット順序対を表示した領域に現在室内温度及び相対湿度が含まれると、領域の端部もいる場合でも領域の中心部にいる場合でもユーザが感じる快適度は大きい差がない。それで、可能な領域の端、すなわち、現在室内温度及び相対湿度と差が大きくない値を目標値と設定してＨＶＡＣシステムを制御することによって、前記温湿度調節装置１００はユーザの快適図を維持させることと同時に快適範囲内でＨＶＡＣシステムを制御するのに消耗されるエネルギーを節減することができる。
【００５９】
図５は、本発明の実施形態によるｘ軸を温度及びｙ軸を相対湿度とした座標を示す図面である。
【００６０】
より具体的に、ｘ軸を温度及びｙ軸を相対湿度とした座標で現在室内温度及び相対湿度の順序対を一点で表示することができる(５１０、５２０、５３０、５４０、５５０、５６０)。さらに、前記統計的情報が一定範囲内で決定されるようにする、少なくとも一つ以上の室内温度及び相対湿度のターゲット順序対の集合を領域で表示することができる(５７０)。
【００６１】
前記座標を利用し、前記温湿度調節装置１００のＨＶＡＣシステム制御を説明する。前記温湿度調節装置１００は前記現在室内温度及び相対湿度の点(５１０、５２０、５３０、５４０、５５０、５６０)を前記ターゲット順序対の集合の領域５７０と近接するようにＨＶＡＣシステムを制御する。具体的な制御方法は図６で説明する。
【００６２】
図６は、本発明の実施形態による前記温湿度調節装置１００がＳ２４０段階でＨＶＡＣシステムを制御する過程を具体化した図面である。
【００６３】
前記温湿度調節装置１００は、前記決定された制御情報、すなわち、前記設定室内温度及び相対湿度の目標値と現在室内温度及び相対湿度を比べてＨＶＡＣシステムを制御する方法を決定する。先ず、Ｓ６００段階で前記温湿度調節装置１００は現在室内温度が制御情報内の室内温度目標値より高いかを決定し、Ｓ６１０段階とＳ６２０段階で前記温湿度調節装置１００は現在の相対湿度が制御情報内の相対湿度の目標値より高いかを決定する。前記温湿度調節装置１００は前記Ｓ６００乃至Ｓ６２０段階での決定により現在室内温度が制御情報内の室内温度目標値より高い場合、冷却コイルと送風機(ファン)を可動させて現在室内温度が制御情報内の室内温度より低い場合、暖房コイルと送風機を可動させる。さらに、前記温湿度調節装置１００は現在の相対湿度が制御情報内の相対湿度の目標値より高い場合、除湿機能を可動させて、現在相対湿度が制御情報内の相対湿度の目標値より低い場合、加湿機能を可動させる。
【００６４】
また、前記温湿度調節装置１００は、前記設定室内温度及び相対湿度の目標値と現在室内温度及び相対湿度の間の差に相応して前記ＨＶＡＣシステムを制御することができる。より具体的に、前記設定室内温度及び相対湿度の目標値からなる順序対と前記現在室内温度及び相対湿度からなる順序対を座標値で考慮して測定した距離に比例して前記ＨＶＡＣシステムの制御強度を決定することができる。例えば、現在室内温度及び相対湿度が制御情報に含まれた設定室内温度及び相対湿度の目標値より遠く離れているほど制御強度を高めることができる。
【００６５】
前記ＨＶＡＣシステムの制御強度は現在室内温度及び相対湿度で前記設定室内温度及び相対湿度の目標値に到逹するのに必要となる時間を、現在室内温度及び相対湿度と無関係に固定させることによって制御することができる。例えば、５１０の場合や５２０の場合、５７０の領域との距離に関係せず前記５７０の領域に到逹する時間を同様に固定させると、結果的に５２０の場合、前記ＨＶＡＣシステムの冷却コイル及び送風機の稼動強度が高くなることができる。
【００６６】
前記温湿度調節装置１００が前記設定室内温度及び相対湿度の目標値と現在室内温度及び相対湿度の間の差に相応して前記ＨＶＡＣシステムを制御することによって、ユーザに均一に快適環境を提供することができる。前記図５で前記のように統計的情報の絶対値が任意の値、すなわち、予測される不満足度が予め定められた値以下の場合を表示した前記５７０領域から離れているほどユーザが快適さを感じることができない環境であることを意味する。すなわち。前記領域で近い５４０より前記領域で遠く離れた５２０の場合、ユーザにとって不快さを感じる環境である。
【００６７】
この場合、前記のようにどの点でも前記領域に至る時間を固定させてここに相応するようにＨＶＡＣシステムの強度を制御すると、５４０の環境にいるユーザや５２０の環境にいるユーザや同一の時間に快適な環境に至るようにできる。したがって、ユーザがより不快さを感じる環境で長い留まるようにすることを防止することができる。
【００６８】
図７は、本発明の実施形態によるユーザが多数である場合にｘ軸を室内温度及びｙ軸を相対湿度とした座標を示す例示図である。
【００６９】
より具体的に、ユーザが多数である場合には前記図２のＳ２００段階で獲得される生体関連情報が多数となる。したがって、前記温湿度調節装置１００は各ユーザ別で前記獲得した生体関連情報に基づいて統計的情報が一定範囲内で決定されるようにする少なくとも一つ以上の室内温度及び相対湿度から構成されるターゲット順序対の集合を異なるように決定することができる。結果的に前記ユーザ別のｘ軸を室内温度及びｙ軸を相対湿度とした座標で前記ターゲット順序対を座標値とする点の集合からなる領域を表示することができる。
【００７０】
前記ターゲット順序対を座標値とする点の集合からなる領域を表示したのが７１０、７２０、７３０である。例えば、前記統計的情報が一定範囲内で決定されるようにする少なくとも一つ以上の室内温度及び相対湿度は、ＰＭＶ値を０．８４以内の値を持つようにする室内温度及び相対湿度であることで仮定する。前記７１０領域は大人男性、７２０領域は大人女性、７３０領域は乳児の場合、ＰＭＶ値が０．８４以内になるようにする室内温度及び相対湿度の範囲に該当することができる。
【００７１】
前記温湿度調節装置１００は前記多数のユーザのうちで、前記ＨＶＡＣシステム制御時に考慮することで選択されたユーザに対する情報を受信することができる。前記多数のユーザのうちで、ある一人は前記ユーザ機器１１０を通じて前記選択されたユーザに対する情報を前記温湿度調節装置１００に入力することができる。前記選択されたユーザに対する情報の初期値は前記ＨＶＡＣシステムを使うユーザ全部に対することであれば良い。温湿度調節装置１００又はユーザ機器１１０はユーザに対する情報を表示部に表示することができる。ユーザは表示されたユーザに対する情報をタッチ又は他の方式で選択することによって、前記ＨＶＡＣシステム制御時に考慮することで選択されたユーザに対する情報を入力することができる。
【００７２】
前記温湿度調節装置１００は前記選択されたユーザに限って前記ターゲット順序対を獲得する。結果的に、前記選択されたユーザに限ってｘ軸を設定温度及びｙ軸を相対湿度とする座標で前記ターゲット順序対を座標値で持つ点の集合を領域で表示する。前記温湿度調節装置１００は前記ユーザ別の領域で表示されたことの交集合に該当する領域を最終的にターゲット順序対で抽出する。
【００７３】
すなわち、前記温湿度調節装置１００は前記選択されたユーザ別の獲得されたターゲット順序対のうちのユーザ間に同一のターゲット順序対を抽出して最終的に前記抽出されたターゲット順序対に基づいて制御情報を決定する。例えば、選択されたユーザ別の獲得されたターゲット順序対を座標値とする点の集合である領域が７２０と ７３０の場合であれば、前記領域での交集合に該当する領域の座標値を最終的なターゲット順序対で抽出する。その後に、前記温湿度調節装置１００は前記図４のＳ４１０乃至Ｓ４３０段階と同様に室内温度及び相対湿度の目標値、すなわち、ＭＨＶＡＣシステムの制御情報を決定する。
【００７４】
図８は、本発明の実施形態によるユーザの位置及びユーザ生体関連情報に基づいてＨＶＡＣシステムを制御することを示す例示図である。
【００７５】
より具体的に、８１０は前記温湿度調節装置１００がある建物に対して予め決定された距離以内の範囲を示し、８２０は前記建物に対して第２の予め決定された距離以内の範囲を示す。８３０はユーザを示す。
【００７６】
前記温湿度調節装置１００は前記温湿度調節装置１００とユーザ間の距離情報を獲得することができる。前記温湿度調節装置１００は前記距離情報を獲得する手段で温湿度調節装置１００とユーザ機器１１０との接続を用いることができる。前記電子機器は本発明が属する分野で一般的に使用されるスマートフォン及びＷｅａｒａｂｌｅ ｄｅｖｉｃｅ(着用する電子機器)を含むことができる。前記Ｗｅａｒａｂｌｅ ｄｅｖｉｃｅはメガネ型、ブレスレット型、アームバンド型、ペンダント型などの形態であることができる。前記接続は近距離無線通信を含むことができる。前記近距離無線通信はブルートゥース（登録商標）、ＷＩＦＩ、ＷＩＦＩ-Ｄｉｒｅｃｔ、Ｚｉｇｂｅｅ又はＮＦＣを含むことができる。
【００７７】
前記温湿度調節装置１００は、前記無線通信の接続を通じて前記ユーザ機器との距離を測定することができる。また、前記温湿度調節装置１００は前記測定した距離が予め決定された距離以上の場合、ユーザが室内にいないか、又は外出したことを検出することができる。前記予め決定された距離はユーザが前記ユーザ機器１１０のうちのいずれか一つを通じて入力することができる。さらに、前記予め決定された距離は前記ユーザの入力がない場合、初期値で前記温湿度調節装置がある建物に対する範囲を含む距離で決定することができる。
【００７８】
また、前記温度調節装置１００は前記測定した距離が予め決定された距離以下の場合、これを検出して前記ＨＶＡＣシステムを制御することができる。また、前記温度調節装置１００は前記第２の予め決定された距離以下にユーザがいることが検出された場合、環境関連情報、ユーザの生体関連情報及び前記距離に基づいて前記ＨＶＡＣシステムを制御することができる。前記第２の予め決定された距離は前記予め決定された距離より大きい値を持つ。
【００７９】
例えば、前記接続が切れたり予め決定された距離以内にユーザがいないことを検出してＨＶＡＣシステムの作動を停止した状態で、ユーザが第２の予め決定された距離以下にいることが検出された場合、前記予め決定された距離以下となる時までの時間を考慮して予め冷暖房したり、再加湿をするＨＶＡＣシステムの作動を開始することができる。
【００８０】
また、前記温湿度調節装置１００はユーザが前記温湿度調節装置１００から一定距離以内に存在するが検出された場合、環境関連情報及びユーザの生体関連情報を獲得してＨＶＡＣシステムの作動を制御することができる。前記温湿度調節装置１００は前記情報に基づいて統計的情報を決定することができる。より具体的に、前記統計的情報は室内温度、相対湿度、活動関数、衣服断熱関数に基づいて決定することができる。前記‘活動関数’及び‘衣服断熱関数’は前述したことと同様のことである。前記温湿度調節装置１００は、前記統計的情報の絶対値が任意の値範囲内にいるかを決定する。前記任意の値内の範囲は前記統計的情報をＰＭＶと仮定する時、ＰＭＶ値の絶対値が０．８４である範囲であることができる。これは前述した２で説明したこと同様である。
【００８１】
前記温湿度調節装置１００は、前記統計的情報の絶対値が任意の値範囲外にあると決定した場合、前記温湿度調節装置１００は前記‘活動関数’及び‘衣服断熱関数’に基づいて統計的情報の絶対値が予め決定された任意の値内に決定されるようにする室内温度及び相対湿度の目標値を決定することができる。前記獲得した室内温度及び相対湿度を制御情報で決定して前記制御情報に基づいてＨＶＡＣシステムを制御することができる。前記温湿度調節装置１００は現在室内温度及び相対湿度を前記制御情報に含まれている室内温度及び相対湿度の目標値に到達させるように前記ＨＶＡＣシステムを制御することができる。
【００８２】
前記予め決定された距離以内にユーザが存在する場合と異なり予め決定された距離と前記第２の予め決定された距離間にユーザが存在する場合、前記温湿度調節装置１００は前記温湿度調節装置１００と前記ユーザとの距離に基づいてＨＶＡＣシステムを制御する。前記温湿度調節装置１００は距離及びユーザの動き情報を用いてユーザが前記予め決定された距離に到逹する時間を予測することができる。前記ユーザの‘動き情報’はユーザ機器１１０のいずれか一つにある動作センサーを通じて獲得することができる。前記‘動き情報’はユーザの平均移動速度に対する情報を含むことができる。前記温湿度調節装置１００は現在時点から前記予測したユーザが予め決定された距離以内に到逹する時間に現在室内温度及び相対湿度が前記決定された制御情報に含まれている室内温度及び相対湿度になることができるように前記ＨＶＡＣシステムを制御することができる。
【００８３】
前記温湿度調節装置１００は、前記ユーザが予め決定された距離以内に到達、例えばユーザが帰る前に予めユーザのＷｅａｒａｂｌｅ ｄｅｖｉｃｅを含むユーザ機器１１０を通じてユーザの生体情報を把握した後、ユーザが予め決定された距離以内に到逹する時間を予測してＨＶＡＣシステムの作動を制御することができる。それによりユーザは各イベントに対する温湿度設定及びスケジュールのセッティングが必要なく便利さが最大化されることができる。さらに、前記のようにユーザが予め決定された距離以内に到逹する時間を予測することによって、ユーザが前記到逹する前にユーザがいない室内を快適に維持するのに使用されるエネルギーを節減することができる。すなわち、前記温湿度調節装置１００はユーザの快適度の範囲内でエネルギー節減を最大化することができる。
【００８４】
以下では本発明のまた他の実施形態について説明する。前記温湿度調節装置１００は前記獲得した環境関連情報及び生体関連情報に基づいて前記室内設備１２０でＨＶＡＣシステムだけではなく照明、音響、換気装置、空気浄化器など他の室内設備を制御することができる。これは前記言及したモノのインターネット(ＩｏＴ)の領域に属する技術に該当する。
【００８５】
図９Ａ、９Ｂ及び９Ｃは、本発明の実施形態によるユーザの特性及び生体関連情報に基づいてＨＶＡＣシステムを含む室内設備を制御することを示す図面である。
【００８６】
より具体的に、図９Ａは前記温湿度調節装置１００がユーザの特性を含む生体関連情報に基づいてＨＶＡＣシステムを制御する過程を示すフローチャートであり、図９Ｂ及び９Ｃは前記の方法でＨＶＡＣシステムを制御することを例示する図面である。
【００８７】
図９Ａで、前記温湿度調節装置１００はＳ９００段階で前記予め決定された距離以内に存在するユーザの特性情報を獲得する。前記‘ユーザの特性’は、例えば、ユーザの年齢、年、身長、体重又は基礎代謝量などを含むことができる。前記ユーザの特性はユーザが前記ユーザ機器１１０を通じて予め入力することができる。前記温湿度調節装置１００は前記ユーザ機器１１０から前記ユーザ特性を獲得することができる。
【００８８】
前記温湿度調節装置１００は、Ｓ９１０段階で前記ユーザの特性及びユーザの生体関連情報に基づいてユーザの状態を決定する。前記温湿度調節装置１００は前記ユーザ機器１１０からユーザの現在生体関連情報を受信することができる。前記ユーザの状態は前記温湿度調節装置１００に予め記憶されたユーザの状態のうちのいずれか一つで決定することができる。前記‘ユーザの状態’は前記ユーザの特性及びユーザの生体関連情報に基づいて決定することができることで、ユーザの物理的活動位、感情的状態、もしくは健康状態などを示す総括的概念を意味することができる。前記ユーザの状態はユーザの運動可否、ユーザが憂鬱であるか否か、ユーザが風邪をひいたか否か、ユーザが食滞したか否かなどを含むことができる。
【００８９】
より具体的に、前記温湿度調節装置１００は前記ユーザ機器１１０から受信したユーザの特性情報を用いて前記ユーザの状態を判断するのに基準に用いられるユーザの生体関連情報の範囲を決定する。例えば、前記温湿度調節装置１００はユーザの状態でユーザの運動可否を決定することにおいて、ユーザの生体関連情報を用いるとする時、前記ユーザの特性が男性若しくは女性であるかに応じて運動可否を決定する心臓搏動数のしきい値を決定することができる。例えば、前記の場合、一般的に男性の心臓搏動数のしきい値が女性の心臓搏動数のしきい値より低く決定することができる。さらに、前記温湿度調節装置１００は前記ユーザの特性中で年齢によって前記ユーザ生体関連情報のしきい値を決定することができる。
【００９０】
前記温湿度調節装置１００は、前記決定されたユーザの状態を判断するのに使用されるユーザの生体関連情報のしきい値を基準とし、前記獲得したユーザ生体関連情報を判断してユーザの状態を決定することができる。より具体的な例は図９Ｂで後述する。
【００９１】
前記温湿度調節装置１００は、Ｓ９２０段階で前記決定されたユーザの状態に基づいて室内設備を制御する。前記ユーザの状態に基づいて室内設備を制御する情報は前記温湿度調節装置１００の記憶部に予め記憶されてあり得る。前記温湿度調節装置１００は前記ユーザの状態を決めた後、予め記憶された情報に基づいて室内設備を制御することができる。
【００９２】
さらに、前記ユーザ機器１１０が内部に含まれている多数のセンサーを用いて獲得した生体関連情報を総合して前記多数の内部センサーから受信したユーザの生体情報を総合して現在ユーザ状態を判断することができる。例えば、前記ユーザ機器１１０は前記内部センサーから受信したリアルタイムのユーザの生体情報と以前時点で記憶されたユーザの生体情報又は予め製造社から生成されて記憶された生体パターン情報を比べ、ユーザの現在状態を判断することができる。さらに、前記ユーザ機器１１０は前記温湿度調節装置１００がユーザの状態を決定する様々な方法を用いてユーザの状態を判断することができる。前記ユーザ機器１１０は判断された結果を前記温湿度調節装置１００へ送信することができる。
【００９３】
図９Ｂは、前記温湿度調節装置１００のＨＶＡＣシステムを含む設備制御方法を例示した例示図である。
【００９４】
前記温湿度調節装置１００はユーザの特性及びユーザの生体関連情報に基づいてＨＶＡＣシステムを含む設備を制御することができる。先ず、前記温湿度調節装置１００は前記温湿度調節装置１００から予め決定された距離以内にあると検出されるユーザの特性に対する情報を受信する。前記温湿度調節装置１００はＳ９５０段階及びＳ９６０段階で前記ユーザの特性に対する情報のうちのユーザの性別、年齢順序で決定する。前記温湿度調節装置１００は前記年齢をレベルを用いた区間で決定することができる。
【００９５】
前記温湿度調節装置１００は、前記決定された年齢レベルを用いてＳ９７０段階でユーザの状態を判断するのに使用されるユーザの生体関連情報のしきい値を決定することができる。例えば、男性の年齢レベル１に該当するユーザの場合、前記温湿度調節装置１００は在室者の運動可否を判断する心臓搏動のしきい値は１００ｂｐｍ(Ｂｅａｔｓ Ｐｅｒ Ｍｉｎｕｔｅ)、体温のしきい値は３７℃と決定することができる。もし、女性の場合を仮定すると、前記温湿度調節装置１００は心臓搏動と体温のしきい値をより低く決定することができる。
【００９６】
前記図９Ｃで男性の年齢レベル１に該当するユーザの場合におけるＨＶＡＣシステムを含む設備制御方法を例示した例示図である。
【００９７】
前記温湿度調節装置１００は心臓搏動及び体温が前記ユーザの特性に基づいて決定されたしきい値より高い場合、ユーザの動き加速可否を決定する。
【００９８】
前記動き加速可否は前記ユーザ機器１１０内部にある動き加速センサーを用いて測定することができる。前記ユーザ機器１１０内部にある動き加速センサーがユーザの動きを検出すると、ユーザ機器１１０はこのような検出情報を前記温湿度調節装置１００に送信する。前記温湿度調節装置１００はユーザ機器１１０から検出情報を受信時にユーザの運動可否を決定することができる。前記温湿度調節装置１００は前記ユーザが運動すると決定時、記憶部に予め記憶された情報に基づいてＨＶＡＣシステムを含む設備を制御することができる。例えば、ユーザが運動すると決定時に統計的情報に含まれることができるＰＭＶが−０．５〜−１．０範囲内の値を持つようにする室内温度及び相対湿度を目標値、すなわち、前記制御情報と設定して前記ＨＶＡＣシステムを制御することができる。
【００９９】
さらに、前記温湿度調節装置１００は室内で一定区域別でユーザが存在する区域を判断し、ユーザが存在すると決定された区域内に存在するＨＶＡＣシステム及び室内設備を制御することができる。前記温湿度調節装置１００は前記区域に存在するモーション検出センサー、室内音検出センサー、室内照度検出センサーと接続されて前記区域別でユーザが存在する区域を決定することができる。さらに、前記温湿度調節装置１００は前述したように宅内の各区域に存在する室内設備に設置されたセンサーを用い、区域別のユーザの在室可否を決定することができる。前記温度調節装置１００は内部の音検出センサーで予め定められた音の大きさ(デシベル)のしきい値以下で音が検出される時間が、予め定められたしきい時間以上持続すると在室者がいないことを検出することができる。前記温度調節装置１００は内部の照度検出センサーで予め定められた照度(ルクス(Ｌｘ))以下で照度が検出される時間が、予め定められたしきい時間以上持続すると在室者がいないことを検出することができる。前記温度調節装置１００は予め定められたしきい値及びしきい時間をユーザの設定で獲得することができる。ユーザは前記ユーザ機器１１０を用いて前記しきい値及びしきい時間を前記温度調節装置１００で入力することができる。
【０１００】
前記温湿度調節装置１００は、前記センサーを用いて一定区域内にユーザが存在しないと判断時には前記ＨＶＡＣシステムの作動を中断したり前記設備をパワーをオフすることもできる。前記温湿度調節装置１００は記憶部に予め記憶された情報により前記ＨＶＡＣシステムを含む区域内の室内設備を制御することができる。例えば、前記温湿度調節装置１００は前記区域に存在する検出センサーなどから二酸化炭素量及び微細ホコリ量に対する情報を受信し、前記受信した情報を基盤として一定区域内の設備を制御することができる。また、前記温湿度調節装置１００は前述したように宅内の各区域に存在する室内設備に設置されたセンサーを用いて受信した環境関連情報を基盤とし、一定区域内の設備を制御することができる。例えば、一定区域の二酸化炭素量が予め定められたしきい値以上という情報の受信時には一定区域内にある換気装置を作動させることができる。また、例えば、一定区域内の微細ホコリ量が予め決定されたしきい値以上という情報の受信時には一定区域内にある空気浄化器を作動させることができる。
【０１０１】
前記温湿度調節装置１００は、一定区域を基準として一定区域内にあるセンサーを通じて環境関連情報を受信し、これに基づいて前記ＨＶＡＣシステムを含む室内設備を制御することができることによって、より詳しくはユーザに快適さを提供することができる。また、一定区域に限ってＨＶＡＣシステムを含む室内設備を制御することによって、ユーザが存在しない区域に対する室内設備の不必要な作動を防止することができてエネルギー節減効果もある。
【０１０２】
前記温湿度調節装置１００は、環境関連情報及びユーザの生体関連情報に基づいて室内設備を制御することができる。前記室内設備を制御するのに基盤となる情報は前記温湿度調節装置１００の記憶部に予め記憶されてあり得る。温湿度調節装置１００には基本的に前記獲得した情報を分析してユーザに快適な環境を提供するために設備制御ができる。
【０１０３】
例えば、以下では前記温湿度調節装置１００に予め記憶されているユーザに快適な睡眠環境を提供するために設備を制御する情報を説明する。前記温湿度調節装置１００は、一定区域に存在するセンサーでユーザがいる区域を検出することができる。前記温湿度調節装置１００は前記獲得したユーザの生体関連情報を通じてユーザが睡眠状態にあるか決定することができる。
【０１０４】
例えば、前記ユーザ機器１１０のモーションセンサー灯を用いてユーザが睡眠状態にあるか否かを決定することができる。前記ユーザが睡眠状態にあると決定されると、前記ユーザがいる区域にあるブラインド制御装置、照明及びＨＶＡＣシステムを予め記憶された情報に基づいて自動で制御することができる。例えば、ブラインド制御装置を用いてブラインドを下げることができ、照明を暗く制御し、ＨＶＡＣシステムの室内温度及び相対湿度を制御することができる。さらに、前記温湿度調節装置１００は予め気象アラーム機能が設定された場合、予め設定されたアラームが作動する時間に自動で照明をつけて、音響を調節してアラーム音楽を再生させることができる。
【０１０５】
例えば、前記温湿度調節装置１００は、ユーザの疾病(例えば、喘息又はアトピー)を予防する環境で予め記憶された情報により前記設備を制御することができる。喘息の原因である微細ホコリ、寒冷した温度及び湿度を防止するために宅内に存在するセンサーで前記微細ホコリ、室内温度及び相対湿度を検出した後、予め記憶された情報により室内設備を制御することができる。さらに、温湿度調節装置１００に接続された外部サーバーに該当する気象庁サーバーから温湿度ドを制御しようとする日の微細ホコリ及び黄砂数値情報などを受信し、予め記憶された情報により室内設備を制御することができる。
【０１０６】
例えば、前記温湿度調節装置１００はユーザの体質を改善する環境に予め記憶された情報によって前記設備を制御することができる。前記温湿度調節装置１００はユーザの特性に対する情報にユーザの疾病で糖尿病や高体重が入力されたり、ユーザ機器１１０を通じて高い血糖量が検出された場合、前記情報を獲得することができる。前記温湿度調節装置１００はこの場合、予め記憶された情報によってＨＶＡＣシステムの室内温度及び湿度などを調節して血糖上昇遮断と体脂肪を燃消しやすい環境を造成することができる。また前記温湿度調節装置１００は、前記ユーザに当たる環境を提供することと同時に地域の病院サーバーと接続されてユーザの生体関連情報を送信することができる。また、前記温湿度調節装置１００は前記接続された地域病院サーバーから、疾病があるユーザに適合した環境設定情報を受信することができる。これにより、ユーザが病院に来訪しない時間においても、医療陣の管理を受けることができて疾病の治療に効果的で、医療スタッフの立場でも良質の医療サービスを提供することができる。
【０１０７】
図１０は、本発明の実施形態による温湿度調節装置１００がＨＶＡＣシステムを含む室内設備を制御することを示す例示図である。
【０１０８】
前記温湿度調節装置１００の記憶部には、図１０のようなアルゴリズムが記憶され、前記温湿度調節装置１００は前記アルゴリズムにより前記設備を制御することができる。Ｓ１０１０段階で前記温湿度調節装置１００は獲得した環境関連情報及び生体関連情報で日較差１０℃以上であるか体力消耗発生可否を決定する。もし、日較差１０℃以下で体力消耗発生がないと決定時にはＳ１０２０段階でＰＭＶが０．８４以下値を持つように決定する室内温度及び相対湿度を目標値とする制御情報を決定し、これに基づいてＨＶＡＣシステムを制御することができる。もし、日較差１０℃以下であるか体力消耗発生があると決定された場合、前記温湿度調節装置１００はＳ１０３０段階で前記ユーザに１℃以上の急激な体温変化があるかを決定する。前記体温変化がない場合、前記Ｓ１０２０段階へ戻って同様にＨＶＡＣシステムを制御する。
【０１０９】
前記温湿度調節装置１００は、Ｓ１０４０段階から１℃以上の急激な体温変化があると決定時には室内温度及び湿度を２０〜２２℃、６０〜７０％で調節したりＰＭＶ値が０．５〜１と維持されるように制御することができる。また、前記温湿度調節装置１００はＳ１０５０段階でその後にユーザの体温が３６．５℃ ±０．５範囲内を維持するかを判断し、前記範囲内であれば、さらにアルゴリズムの初めて段階であるＳ１０１０段階へ戻って前記過程を繰り返す。また、前記温湿度調節装置１００はユーザの体温が３６．５℃±０.５範囲内を維持することができない場合、Ｓ１０６０段階でユーザを風邪症状で判別し、Ｓ１０７０段階でＰＭＶ値が１〜１.５で維持されるようにＨＶＡＣシステムを制御し、室内窓制御装置を利用したり換気装置を作動させて周期的に換気するように制御することができる。
【０１１０】
また、前記温湿度調節装置１００は前記風邪症状で判別するのに基盤となるＳ１０１０段階乃至Ｓ１０５０段階の判断を持続的にしてＳ１０８０段階で前記風邪症状が７日以上維持されると決定時には前記ユーザ機器に近くの病院を推薦する情報を表示したり前記病院サーバーに情報を送信して予約を要請することができる。また、前記温湿度調節装置１００はＳ１０９０段階でユーザが予約をした病院に対して前記ユーザの生体関連情報を送信することができる。
【０１１１】
図１１は、本発明の実施形態による温湿度調節装置の内部構造を示すブロック図である。
【０１１２】
図１１のように温湿度調節装置１００は通信部１１００、センサー部１１１０、記憶部１１２０、表示部１１３０、制御部１１４０から構成されることができる。
【０１１３】
前記通信部１１００は、ユーザ機器１１０、室内設備１２０、外部サーバー１３０と接続されて温湿度調節に必要な情報を送信又は受信することができる。前記通信部１１００のユーザ機器１１０との接続は近距離無線通信を含むことができる。前記近距離無線通信はブルートゥース（登録商標）、ＷＩＦＩ、ＷＩＦＩ-Ｄｉｒｅｃｔ、Ｚｉｇｂｅｅ又はＮＦＣを含むことができる。前記通信部１１００とユーザ機器１１０との接続は前記温湿度調節装置１００とユーザ間の距離情報を獲得する手段で使用されることができる。前記通信部１１００はユーザ機器１１０から前記生体関連情報を受信することができる。さらに、前記通信部１１００は室内設備に付着したセンサーから環境関連情報を受信することができる。また、前記通信部１１００は前記外部サーバー１３０、例えば、気象庁サーバーと接続されてＨＶＡＣシステムを含む室内設備を制御しようとする日の気象予報情報を受信することができる。
【０１１４】
前記通信部１１００は、室内設備１２０に設備制御情報を送信することができる。前記設備制御情報はＨＶＡＣシステムの設定室内温度及び相対湿度を含むことができる。前記通信部１１００は外部サーバー１３０から温湿度調節のための情報を受信することができる。前記温湿度調節のための情報には環境関連情報中の一部である任意の温度での飽和水蒸気量に対する情報を含むことができる。前記通信部１１００は外部サーバー１３０から設備１２０に対する情報を受信することができる。前記設備１２０に対する情報を送信する外部サーバー１３０は設備の製造社のサーバーを含むことができる。
【０１１５】
前記センサー部１１１０は、前記温湿度調節装置１００周辺の室内外の環境関連情報を獲得することができる。前記センサー部１１１０は、例えば、温度センサー、湿度センサー、照度センサー、モーション検出センサー、音検出センサーなどを含むことができる。前記センサー部１１１０は前記温湿度調節装置１００が前記環境関連情報を獲得するために前記センサーを通じて周辺環境を測定することができる。前記環境関連情報は、例えば、室内温度、水蒸気量、日照量、放射熱、気流又は風俗のうちの少なくともいずれかの一つを含むことができる。また前記センサー部１１１０は前記センサーを用いて一定区域内にユーザが存在するか否かを検出することができる。
【０１１６】
前記記憶部１１２０は、前記温湿度調節装置１００が温湿度を調節するのに必要な情報を記憶する。前記記憶部１１２０は前記獲得した環境関連情報及びユーザ生体関連情報を記憶することができる。前記記憶部１１２０は前記情報に基づいて統計的情報を一定範囲内で決定されるようにする制御情報を記憶することができる。前記記憶部１１２０はその他の外部サーバー１３０から受信した情報を記憶することができる。前記記憶部１１２０は前記記憶した情報を制御部に送信して制御部が前記情報を用いるようにできる。
【０１１７】
前記記憶部１１２０は前記温湿度調節装置１００が前記環境関連情報及びユーザの生体関連情報に基づいてＨＶＡＣシステムを含む室内設備を制御するのに必要な情報を記憶することができる。前記室内設備を制御するのに必要な情報は予め記憶されたアルゴリズムの形態であることができる。
【０１１８】
前記表示部１１３０は、前記温湿度調節装置１００が温度を調節するのに必要な情報を表示することができる。前記表示部１１３０は前記センサー部１１１０で検出した室内温度、外部温度、湿度、日照量等を表示することができる。前記表示部１１３０は、現在の前記統計的情報が任意の値範囲内であるかを表示することができる。すなわち、前記統計的情報がＰＭＶで、前記任意の値範囲がＰＭＶの絶対値が０．８４以内の場合、ユーザが統計的に快適な状態にいることか可否を表示することができる。
【０１１９】
前記表示部１１３０は、前記決定した設定室内温度及び相対湿度の目標値、すなわち、ＨＶＡＣシステムを制御するのに基盤となる制御情報を表示することができる。前記表示部１１３０は前記ユーザが多数である場合、前記ＨＶＡＣシステム制御時に考慮することで選択されたユーザに対する情報を表示することができる。前記表示部１１３０はユーザから前記選択されたユーザに対する情報を受信するためにタッチパッド形態であることを含む。
【０１２０】
前記制御部１１４０は、前記温度調節装置１００の温度を調節する方法を制御する。前記制御部１１４０は少なくとも一つ以上の環境関連情報及びユーザの生体関連情報を獲得し、前記獲得した情報に基づいて統計的情報が一定範囲内で決定されるようにする制御情報を決定し、前記決定された制御情報に基づいてＨＶＡＣ(Ｈｅａｔｉｎｇ、Ｖｅｎｔｉｌａｔｉｏｎ、ａｎｄ Ａｉｒ Ｃｏｎｄｉｔｉｏｎｉｎｇ)システムを制御することができる。
【０１２１】
前記制御部１１４０は、前記獲得前に前記温湿度調節装置とユーザ間の情報を獲得し、前記獲得した距離情報の距離が予め定められた距離以内の場合、前記環境関連情報、前記生体関連情報及び前記距離に基づいて前記ＨＶＡＣシステムを制御する。前記制御部１１４０は前記情報を獲得する前に、各区域のユーザ有無を検出し、在室者がいると検出された区域に限って前記ＨＶＡＣシステムを制御する。
【０１２２】
一方、本明細書及び図面には本発明の好ましい実施形態に対して開示した。たとえ特定用語が用いられたが、これはただ本発明の記述内容を容易に説明して発明の理解を助けるための一般的な意味で用いられたもので、本発明の範囲を限定しようとするものではない。ここに開示された実施形態の以外にも本発明の技術的思想に基づいた他の変形例が実施可能ということは本発明が属する技術分野で通常の知識を有する者に自明なものである。
【符号の説明】
【０１２３】
１００  温湿度調節装置
１１０  ユーザ機器
１２０  室内設備
１３０  外部サーバー
１１００  通信部
１１２０  記憶部
１１３０  表示部
１１４０  制御部
１１１０  センサー部
【図１】
2017532517.tif 000005
【図２】
2017532517.tif 000006
【図３】
2017532517.tif 000007
【図４】
2017532517.tif 000008
【図５】
2017532517.tif 000009
【図６】
2017532517.tif 000010
【図７】
2017532517.tif 000011
【図８】
2017532517.tif 000012
【図９Ａ】
2017532517.tif 000013
【図９Ｂ】
2017532517.tif 000014
【図９Ｃ】
2017532517.tif 000015
【図１０】
2017532517.tif 000016
【図１１】
2017532517.tif 000017
【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
温湿度調節装置の室内温湿度調節方法であって、
少なくとも一つ以上の環境関連情報及びユーザの生体関連情報を獲得する段階と、
前記獲得した情報に基づいて統計的情報が一定範囲内で決定されるようにする制御情報を決定する段階と、及び
前記決定された制御情報に基づいてＨＶＡＣ(Ｈｅａｔｉｎｇ、Ｖｅｎｔｉｌａｔｉｏｎ、ａｎｄ Ａｉｒ Ｃｏｎｄｉｔｉｏｎｉｎｇ)システムを制御する段階と、を含むことを特徴とする、室内温湿度調節方法。
【請求項２】
前記統計的情報は、
前記環境関連情報及び前記ユーザの生体関連情報に基づいて統計的に前記ユーザの温熱感に対する数値を示す情報であることを特徴とする、請求項１に記載の室内温湿度調節方法。
【請求項３】
前記環境関連情報は、
現在室内温度、現在室外温度、現在相対湿度のうちの少なくともいずれか一つを含むことを特徴とする、請求項１に記載の室内温湿度調節方法。
【請求項４】
前記制御情報を決定する段階は、
前記室外温度及び前記生体関連情報に基づいて統計的情報が一定範囲内で決定されるようにする少なくとも一つ以上の室内温度及び相対湿度に対するターゲット順序対を獲得することを特徴とする、請求項３に記載の室内温湿度調節方法。
【請求項５】
前記制御情報を決定する段階は、
前記少なくとも一つ以上のターゲット順序対と前記現在室内温度及び現在相対湿度から構成される順序対との距離を計算する段階と、
前記少なくとも一つ以上のターゲット順序対のうちの前記計算した距離が最も小さいターゲット順序対を抽出する段階と、及び
前記抽出された順序対に基づいて前記制御情報を決定する段階と、を含むことを特徴とする、請求項４に記載の室内温湿度調節方法。
【請求項６】
前記ＨＶＡＣシステムを制御する段階は、
前記現在室内温度及び現在相対湿度を前記抽出された順序対に含まれる室内温度及び相対湿度に到逹するようにする時間を予め決定された時間として制御することを特徴とする、請求項５に記載の室内温湿度調節方法。
【請求項７】
前記ユーザが多数である場合、前記制御情報を決定する段階は、
前記多数のユーザの中で、前記ＨＶＡＣシステム制御時に考慮することで選択されたユーザに対する情報を受信する段階と、
前記選択されたユーザ別で前記ターゲット順序対を獲得する段階と、
前記選択されたユーザ別で獲得された前記ターゲット順序対のうちのユーザ間に同一のターゲット順序対を抽出する段階と、及び
前記抽出されたターゲット順序対に基づいて前記制御情報を決定する段階と、を含むことを特徴とする、請求項４に記載の室内温湿度調節方法。
【請求項８】
前記獲得段階前に、前記温湿度調節装置とユーザ間の情報を獲得する段階と、
前記獲得した距離情報の距離が予め定められた距離以内の場合、前記環境関連情報、前記生体関連情報及び前記距離に基づいて前記ＨＶＡＣシステムを制御する段階と、
をさらに含むことを特徴とする、請求項１に記載の室内温湿度調節方法。
【請求項９】
前記情報を獲得する前に、各区域にユーザがいるかを検出する段階と、及び
ユーザがいると検出された区域に限って前記ＨＶＡＣシステムを制御する段階と、をさらに含むことを特徴とする、請求項１に記載の室内温湿度調節方法。
【請求項１０】
前記少なくとも一つ以上の環境関連情報を獲得することは、
少なくとも一つ以上の室内設備に付着したセンサーから前記少なくとも一つ以上の環境関連情報を獲得することを特徴とする、請求項１に記載の方法。
【請求項１１】
温湿度調節装置であって、
ユーザ機器又は室内設備と情報を受信又は送信する通信部と、及び
少なくとも一つ以上の環境関連情報及びユーザの生体関連情報を獲得し、前記獲得した情報に基づいて統計的情報が一定範囲内で決定されるようにする制御情報を決定し、前記決定された制御情報に基づいてＨＶＡＣ(Ｈｅａｔｉｎｇ、Ｖｅｎｔｉｌａｔｉｏｎ、ａｎｄ Ａｉｒ Ｃｏｎｄｉｔｉｏｎｉｎｇ)システムを制御する制御部と、を含むことを特徴とする温湿度調節装置。
【請求項１２】
前記統計的情報は、
前記環境関連情報及び前記ユーザの生体関連情報に基づいて統計的に前記ユーザの温熱感に対する数値を示す情報であることを特徴とする、請求項１１に記載の室内温湿度調節装置。
【請求項１３】
前記環境関連情報は、
現在室内温度、現在室外温度、現在相対湿度のうちの少なくともいずれか一つを含むことを特徴とする、請求項１１に記載の室内温湿度調節装置。
【請求項１４】
前記制御情報を決定することは、
前記室外温度及び前記生体関連情報に基づいて統計的情報が一定範囲内で決定されるようにする少なくとも一つ以上の室内温度及び相対湿度に対するターゲット順序対を獲得することを特徴とする、請求項１３に記載の室内温湿度調節装置。
【請求項１５】
前記制御情報を決定することは、
前記少なくとも一つ以上のターゲット順序対と前記現在室内温度及び現在相対湿度から構成される順序対との距離を計算し、前記少なくとも一つ以上のターゲット順序対のうちの前記計算した距離が最も小さいターゲット順序対を抽出し、前記抽出された順序対に基づいて前記制御情報を決定することを含むことを特徴とする、請求項１４に記載の室内温湿度調節装置。
【国際調査報告】
2017532517.tif 000018
2017532517.tif 000019